(57)【要約】【課題】紙幣の搬送方向を垂直に方向変換する方向変換手段を備え、紙幣が方向変換手段に搬入し、最下点に達する間で、紙幣の搬送条件と紙幣の識別データを継続して取得し、紙幣の搬送方向を判定し、ゲートの開閉動作を完了することで、装置を小型化し、さらに、処理速度を高める搬送装置を提供する。【解決手段】直線状に配置した、識別センサを具備した第１搬送手段と、収納手段へ搬送する為の第２搬送手段と、を前記搬送手段に対し垂直方向に搬送する方向変換手段に連通し、方向変換手段の最下点に連通した、第３搬送手段を備え、ゲートの動作により、紙幣を上述の搬送手段の何れかに搬送する。【選択図】図２
2014021960.tif 000002
【特許請求の範囲】
【請求項１】
紙幣を識別し、その結果に基づき、搬送する方向変換の為の搬送路であって、搬送装置は、紙幣の搬送先を判断する識別センサを具備し、紙幣を方向変換手段に対し搬入または、搬出する第１搬送手段と、紙幣を方向変換手段に対し搬出または、搬入する第２搬送手段と、前記第１搬送手段と第２搬送手段に連通し、紙幣の搬送方向を変換する、搬送路を切り替えるゲートを方向変換手段の最下点に具備した方向変換手段と、方向変換手段の最下点に連通した、紙幣を搬出する第３搬送手段を備え、前記搬送装置は、紙幣が方向変換手段に搬入し、最下点に達する間で、紙幣の搬送条件と紙幣の識別データとを継続して取得し、さらに、紙幣の搬送先を判定し、さらに、方向変換手段の最下点に具備した紙幣の搬送先を切り替えるゲートの開閉動作を完了するように、上述の手段を配置し制御したこと、を特徴とする搬送装置。
【請求項２】
前記搬送装置の構成は、前述した前記第１搬送手段をほぼ直線状に配置し、また、第２搬送手段は、第１搬送手段の延長線上にほぼ直線状に配置し、前記第１搬送手段と前記第２搬送手段との間に、前記第１搬送手段と前記第２搬送手段に連通し、紙幣の搬送方向を第１搬送手段に対しほぼ垂直な方向に搬送するよう方向変換手段を配置したことを特徴とする、請求項１記載の搬送装置。
【請求項３】
双方向搬送を可能とした、方向変換手段であって、紙幣を搬入または、搬出する為の搬送ローラ部と、方向変換ローラと、紙幣を誘導する為のガイドバンを備え、方向変換手段は、方向変換ローラに対し、左右対称に構成したことを特徴とする、請求項１記載の搬送装置。
【請求項４】
前記方向変換手段は、紙幣を安定して搬送する為の波打ちローラをさらに具備し、波打ちローラは、前記方向変換手段に固定され、常に一方向に回動し、搬送する為の紙幣の閉持力は、方向変換手段の方向変換ローラと搬送ローラ部の閉持力より極めて弱く、構成されたことを特徴とする、請求項１記載の搬送装置。
【請求項５】
前記搬送装置は、第３搬送手段に、増設する新たな搬送装置に連通し、複数に並列、または、縦列に構成したことを特徴とする、請求項１記載の搬送装置。
【請求項６】
前記搬送装置の前記方向変換手段の最下点に具備したゲートは、第３搬送手段を一方向、又は、複数の搬送路へ紙幣を振り分けることを特徴とする、請求項１記載の搬送装置。
【請求項７】
前記搬送装置の前述の第２搬送手段は、紙幣の簡易識別を行う判定センサを、さらに備えたことを特徴とする請求項１記載の搬送装置。
【請求項８】
紙幣を収納し、出金する装置において、装置は、複数の収納繰り出し部を備え、個々の収納繰り出し部の管理所有権、又は、現金所有権をそれぞれに設定可能とした、ことを特徴とした収納現金の管理方法。
【発明の詳細な説明】
【技術分野】
【０００１】  本発明は、紙幣の搬送路上に、紙幣の金種識別手段を備え、双方向に搬送する、搬送装置及び紙幣処理装置に関する。
【背景技術】
【０００２】  従来の紙幣入出金装置は一般に、張設された弾性ベルト、または、紙幣長さより短い間隔に配置された搬送ローラ、によって紙幣を収納部等へ搬送するように構成されている。例えば、特開２０１０−２７２１４０号公報や特許第４４５３４３８号には、略同径の押えローラ群を配置した紙幣搬送路を装置筐体の上面近傍に水平、かつ直線状に配置して、装置の薄型化を可能にする搬送手段が開示されている。【０００３】  また、特許第４０６４１３７号によれば、紙幣の識別手段と収納部等の搬送先との間の搬送経路長さを「最も長い紙幣」の長さより長く取るという要件に関しても、環状の周回搬送路において識別手段による紙幣の識別を行うことで、従来の直線状の搬送経路における識別の場合よりも装置内のスペースを有効に利用することが可能となる。従って、駆動手段の小型化や装置内のスペースの有効利用により、従来に比べて装置全体の小型化を図ることができる。
【先行技術文献】
【特許文献】
【０００４】
【特許文献１】特開２０１０−２７２１４０号公報
【特許文献２】特許第４４５３４３８号公報
【特許文献３】特許第４０６４１３７号公報
【発明の概要】
【発明が解決しようとする課題】
【０００５】  上記のような搬送手段を用いる従来の紙幣処理装置には、以下のような問題点がある。【０００６】  まず、搬送路上で紙幣の金種識別を行う場合には、搬送路の途中に設置した識別手段（例えば光学センサー）の位置を、紙幣がその全長に渡って通過するようにしなければならない。これにより、紙幣の識別手段と収納部との間の搬送路長さを「最も長い紙幣」の長さより長く取るという要件が課されることになる。これに対して、直線状に配置した紙幣の搬送路では、上記の要件を満たすには相当のスペースを要し、また装置内のデッドスペースも生じやすくなる。従って、この点からも装置全体の小型化が困難になっている。【０００７】  この点に関しては、搬送路を直線状に構成せずに屈曲させて構成するという対策も考えられる。しかし、その場合は、多数のアイドルローラ等で屈曲支持する必要があり、コストが嵩む。従って、この対策も有効なものとは言えない。【０００８】  さらに、上述の直線状に構成した搬送路では、紙幣が識別センサを通過後、識別判定を行う時間分搬送距離は長くなる。さらに、各金種に振り分ける為の搬送分岐部の動作時間分も搬送距離は長くなる。その結果、装置全体の小型化が困難になる。【０００９】  また、上述の搬送路を環状に構成した周回通路は、紙幣のデータ取得時と金種の判定時と金種判定後に、同搬送路を周回させることができるため、搬送路の長さは、短く構成できる。しかしながら、上述のように金種判定後に指定収納部へ振り分ける為には、さらに周回しなければならない為、余分な時間が掛かり、処理時間が長くなる。【００１０】  また、上述の周回通路は、円形状を形成する為、円の直径分のスペースを必要とする。その為、装置サイズは、大きく構成しなければならない。【００１１】  また、上述の周回通路は、搬送先の複数の収納部において、正転で収納部に収納し、逆転で出金する事はできるが、分岐部の形状及び構成上、正転においても、逆転においても、常に収納部または、排出部（ＲＪ部）に収納するように紙幣を搬送できない。その為、収納部を有効に活用できない。【００１２】  また、上述したそれぞれの搬送路の構成は、識別判定異常の紙幣が発生した場合、正転搬送される一方向通路であって、装置前面より取り込んだ紙幣を装置前面に戻し排出する為には、搬送を一旦停止し、搬送方向を逆転して戻す必要があり、連続して計数することができない。そのような搬送路の構成においては、あらかじめ、搬送路上の紙幣を収納部に収納後、投入された紙幣の繰り出しを行うように制御しなければならい。そのような制限から、投入口から繰り出される紙幣は、装置の搬送路内に一枚毎しか搬送することができず、処理速度を上げることができない。【００１３】  本発明は、このような点を考慮してなされたものであり、従来に比べて装置全体の小型化を図ることができ、さらに、処理時間を短縮することができる、搬送装置及び、紙幣処理装置を提供することを目的とする。
【課題を解決するための手段】
【００１４】  上記課題を解決する為の本発明の搬送装置は、紙幣を識別し、その結果に基づき、搬送するための双方向通路であって、紙幣の搬送先を判断する識別センサを具備した直線状に配置した第１搬送手段と、収納手段へ紙幣を搬送する為の第１搬送手段の延長線上に位置する第２搬送手段と、前記第１搬送手段と第２搬送手段との間に、前記第１搬送手段と第２搬送手段に連通し、紙幣の搬送方向を前記第１搬送手段と第２搬送手段に対し垂直方向に方向変換する方向変換手段と、方向変換手段の最下点に連通した、第３搬送手段を備え、紙幣が方向変換手段に搬入し、方向変換手段の最下点に達する間で、紙幣の搬送条件と紙幣の識別データを継続して取得し、さらに、紙幣の搬送先を判定し、さらに、ゲートの開閉動作を完了するように、上述の手段を配置し制御したこと、を特徴としている。【００１５】  本発明によれば、紙幣の識別手段と収納部との間の搬送路長さを「最も長い紙幣」の長さより長く取るという要件に対しては、例えば、水平、直線状に配置した第１搬送手段に対し、紙幣を垂直方向に搬送することにおいて、方向変換手段は、紙幣を搬入し、最下点に達する間で、紙幣の搬送条件と紙幣の識別データを継続して取得し、紙幣の搬送先を判定し、ゲートの開閉動作を完了することができるので、水平、直線状の搬送路長さを短くできる。その結果、装置の奥行きを小型にすることができる。【００１６】  また、搬送手段を、水平、直線状に配置したことにより、装置の高さを低くし薄型に構成できるので、装置を小型にすることができる。【００１７】  さらに、垂直方向に配置した方向変換手段は、連通する第２搬送手段へ紙幣を搬送する際、紙幣自身の搬送方向を先端から後端に変換し搬出することで、順方向で周回させて搬送する搬送路にくらべ、複雑に屈曲した搬送路を構成する必要はない。その結果、搬送通路は、シンプルに構成でき、搬送路長さを短縮できる、と共に搬送時間も短縮できる。【００１８】  さらに、垂直方向に配置した方向変換手段は、識別判定異常の紙幣が搬送された場合、正逆搬送いずれにおいても、ゲートを開くことで、直接ＲＪＢＯＸへ搬送できる。その結果、搬送を一旦停止し逆転する必要が無くなるため、連続繰り出し計数が可能となり、処理時間を短縮することができ、さらに、搬送速度を上げることが可能になる。【００１９】  また、垂直方向に配置した方向変換手段は、第３搬送手段をさらに、切り替えゲートで、下方に向かう第４搬送路を備えれば、ユニットや装置を容易に縦列に連通ができる。その結果、運用に合わせた、紙幣処理装置を容易に構成できる。【００２０】  すなわち、請求項１乃至７の搬送装置を用いれば、従来のように、処理中に正転逆転を行わず、屈曲した通路を構成することなく、シンプルなレイアウトで構成し、処理速度を速めることができる。その結果、小型でコストが安く、処理能力の高い紙幣処理装置を提供することができる。
【発明の効果】
【００２１】  本発明によれば、識別手段と収納部との間の搬送路長さを最も長い紙幣の長さより長く取るという要件に関しても、紙幣を垂直方向に搬送する方向変換手段に搬入し、最下点に達する間で、紙幣の搬送条件と紙幣の識別データを継続して取得し、紙幣の搬送先を判定し、ゲートの開閉動作を完了することで、従来の直線状の搬送路よりも装置内のスペースを有効に利用することが可能になる。その結果、水平、直線状の通路長さを短くでき、また、薄型に構成でき、装置を小型にすることができる。【００２２】  さらに、垂直方向に配置した方向変換手段は、紙幣自身の搬送方向を先端から後端に変換し搬出することで、従来の順方向で周回させて搬送する通路にくらべ、複雑に屈曲した搬送路を構成する必要はないその結果、シンプルな搬送路レイアウトが構成でき、さらに、搬送時間も短縮できる。
【図面の簡単な説明】
【００２３】
【図１】本発明の実施の形態を用いた紙幣処理装置の構成を模式的に示す側断面図である。
【図２】本発明の実施の形態の搬送装置における構成を模式的に示す側断面図である。
【図３】本発明の実施の形態の搬送装置の動作を説明するための説明図であって、（ａ）は紙幣を方向変換手段へ搬送し、識別判定を下す状態を、（ｂ）は判定の結果収納繰出し手段へ搬送する状態を、（ｃ）は判定の結果ＲＪＢＯＸへ搬送する状態を示したものである。
【図４】本発明の実施の形態の波打ちローラの配置の一例を説明するための説明図であって、紙幣に波くせをつける状態を示したものである。
【図５】本発明の実施の形態を用いた紙幣処理装置の拡張構成を模式的に示す側断面図であって、図１に示した紙幣処理装置に、さらにユニットを縦列に連通させた状態を示したものである。
【図６】本発明の実施の形態を用いた紙幣処理装置の拡張構成を模式的に示す側断面図であって、図１に示した紙幣処理装置をさらに図５の紙幣処理装置に縦列に連通させた状態を示したものである。
【図７】本発明の実施の方向変換手段の通路切り替えゲートのもう一つの形態の動作を説明するための説明図であって、（ａ）は紙幣を第２搬送手段へ搬送する動作を、（ｂ）は縦列に連通した第一搬送手段へ搬送する状態を、（ｃ）は第３搬送手段へ搬送する状態を示したものであって、３方向に分岐するゲートを説明したものである。
【発明を実施するための形態】
【００２４】  本発明の実施の形態について図を参照して説明する。図２は、本発明の実施の形態の搬送装置の構成を模式的に示す側断面図である。図２に示すように、本発明の搬送装置は、紙幣の搬送先を判定する識別センサ２２と、判定センサａ２３と、を具備した直線状に配置した第１搬送手段２と、収納手段７へ紙幣を搬送する為の第１搬送手段２の延長線上に位置する第２搬送手段４と、前記第１搬送手段２と第２搬送手段４との間に、前記第１搬送手段２と第２搬送手段４に連通し、紙幣の搬送方向を第１搬送手段２に対し垂直に方向変換する方向変換手段３と、方向変換手段３の最下点に連通した、第３搬送手段５を備え、紙幣が方向変換手段３に搬入し、最下点に達する間で、紙幣の搬送条件と紙幣の識別データを継続して取得し、紙幣の搬送先を判定し、ゲート３５の開閉動作を完了するように、上述した手段を配置した構成を特徴とする搬送装置である。
【００２５】  第１搬送手段２は、搬送される紙幣のデータを収集する識別センサ２２と判定センサａ２３を配置した方向変換手段３に連通した搬送路であって、第１搬送路２１を装置筺体の上面近傍に水平、直線状に配置し、第１搬送路２１には、紙幣の金種や真偽のデータを収集する識別センサ２２と、センサ情報から判定を確定し、各部に動作命令を発する制御部９からの指示に基づき、動作の開始タイミングをとる判定センサａ２３を備え、方向変換手段３へ紙幣を搬送する。
【００２６】  方向変換手段３は、装置を短く構成する為の分岐通路であって、第１搬送手段２と第２搬送手段４に対し垂直方向に配置され、第１搬送路２１から紙幣を引き込むための回動する搬送ローラ部ａ３２と紙幣を第２搬送路４１に排出する搬送ローラ部ｂ３３と、前記搬送ローラ部と接触し紙幣を閉持し搬送する為の方向変換ローラ３１と、紙幣を垂直方向へ導くガイドバン３６と、紙幣の搬送を安定させる為の波打ちローラ３４と、紙幣を連通した通路へ振り分けるゲート３５で構成されている。水平、直線状に配置した第１搬送路２１に対し垂直方向へ紙幣を搬送する向きに配置された方向変換手段３は、紙幣を垂直に搬送し最下点に達する間に、識別センサ２２によるデータ収集と、搬送方向判定と、判定に応じたゲート３５の切り替えを行うことができる。最下点に配置された搬送方向を切り替えるゲート３５は、搬送紙幣の後端が判定センサａ２３を通過したタイミングで開閉動作を行う（図３ａ）。ゲート３５が閉状態の場合、最下点に達した紙幣は、ゲート３５に当接し、紙幣後端を方向変換ローラ３１により、搬送ローラｂ３３に押しつけられ、第２搬送手段へと後端から搬出される（図３ｂ）。ゲート３５が開状態の場合、紙幣は、ガイドバン３６に沿い第３搬送手段５へと搬出される。
【００２７】  方向変換手段３と連通する第２搬送通路４１への搬送は、方向変換ローラ３１に具備した羽で、ベルトで構成された搬送ローラ部ｂとの間で紙幣の後端をグリップし、紙幣の後端を先頭にして、第２搬送路４１へ搬送する。また、方向変換手段３内を正方向、逆方向に搬送する紙幣を安定して搬送する為の波打ちローラ３４は、紙幣に波くせをつけ（図４）ることで紙幣に腰をつけ、狭い通路でつまらないよう搬送すると共に、搬送力を与えている。また、波打ちローラ３４は、方向変換手段３に固定され、常に第３搬送路５１に紙幣を搬送する方向に回動して構成され、また、対向するローラは互い違いに配置され、紙幣に対する搬送力は、第２搬送路４１へ搬送する上述の方向変換ローラ３１とベルトで構成された搬送ローラ部ｂ３３とのグリップ力より極めて弱く設定されている。また、波打ちローラ３４は、安定して紙幣を搬送する為のものであり、紙幣の状態がよければ、配置する必要はなく、配置する場合は、方向変換手段３の中央付近が好ましい。
【００２８】  また、方向変換手段３は、方向変換ローラ３１を中心に対象に構成され、正方向搬送（第１搬送路２１から方向変換手段３への搬送）と逆方向搬送（第２搬送路４１から方向変換手段への搬送）を可能としている。
【００２９】  第２搬送手段４は、方向変換手段に連通し、第１搬送路２１の延長線上に水平、直線状に配置され、第２搬送路４１には、紙幣の金種や多重搬送や搬送枚数を検出するための判定センサｂ４２を具備し、金種別の収納繰り出し手段７へ搬送する。
【００３０】  次に本発明の実施の形態を用いた紙幣処理装置の一例の構成と動作を、図を参照し説明する。
【００３１】  ［図１］は、本発明の実施の形態を用いた紙幣処理装置の構成を模式的に示す側断面図である。搬送装置の左側（前面側）に第１収納繰出し部１、右側（後面側）に収納繰出し手段７、第３搬送路５１の延長線に返却収納部６で構成する小型入出金機として成る、例えば、釣銭機の構造として用いて運用する場合。
【００３２】  上述の第１収納繰出し部１は、紙幣投入口と釣銭出金口として機能し、収納繰出し手段７は、金種別に収納と繰出しを行う、千円に設定された第２収納繰出し部７ａと、５千円に設定された第３収納繰出し部７ｂと万円に設定された第４収納繰出し部７ｃとで構成されている。返却収納部６は、紙幣投入口から受けいれて搬送された紙幣を識別判定の結果、受け付けない紙幣を機外へ返却するためのＲＪＢＯＸ６１と、収納繰出し手段７から出金され、判定センサｂ４２で異常検出された紙幣の保管として、出金ＲＪＢＯＸ６２として機能する。
【００３３】  入金動作を行う場合は、投入口である第１収納繰出し部１に投入された紙幣は、最長紙幣と同等以上の間隔で繰出しが連続で開始される。繰出された紙幣は、タイミングセンサ２４で紙幣の搬送状態（間隔、斜行）を監視し、第１搬送手段へ搬送され、識別センサ２２でデータ収集され、判定センサａ２３が紙幣の後端を検出したタイミングで、ゲート３５の開閉を指示する。判定の結果、受け入れ不可紙幣の場合は、ゲート３５は開き、第３搬送路５１を経由してＲＪＢＯＸ６１へ搬送され、金種が確定した紙幣は、ゲート３５は閉じ、第２搬送路４１を経由し、それぞれの収納繰出し手段７へ収納される。
【００３４】  釣銭出金動作を行う場合は、上位（ＰＯＳ）からの指令に基づき、収納繰出し手段７から金種毎に、最長紙幣と同等以上の間隔で出金繰出しが連続で開始され、紙幣は入金時と逆方向に搬送される。出金された紙幣は、判定センサｂ４２で監視され、異常を検出した場合、ゲート３５は開状態となり、第３搬送路５１を経由し出金ＲＪＢＯＸ６２へ収納し、正常な場合は、ゲート３５は閉状態となり、出金口として第１搬送路２１を経由し、第１収納繰出し部１に搬送される。しかるに、出金口は、上述に限定するものではなく、例えば、出金ＲＪＢＯＸ６２に出金し、出金ＲＪ紙幣を第１収納繰出し部１に搬送し、出金処理終了後、第１収納繰出し部１より繰り出し、収納繰出し手段７へ戻してもよい。この場合、出金ＲＪＢＯＸ６２に紙幣を保留しておく必要がなくなり、有効に紙幣を使用することができる。
【００３５】  自動精査動作を行う場合は、収納繰出し手段７に保留している紙幣を、金種毎に繰り出し再計数する動作であって、第２搬送手段４から方向変換手段３、第１搬送手段２を経由し、第１収納繰出し部１へ収納し、再度第１収納繰出し部１より繰出し、収納繰出し手段７へ戻す。
【００３６】  このように、本発明の搬送装置を用いれば、紙幣の搬送は、従来の屈曲した搬送路を周回させる複雑な搬送路を構成する必要はなく、装置前面方向への搬送と、装置後面方向への搬送が可能となる。その結果、装置サイズを小型に構成でき、また、コストが嵩むことはない。また、従来の水平、直線上の搬送路のように、受付できない紙幣が生じた場合、搬送を一旦停止し逆搬送する必要はなく、高速で連続計数が可能となる。その結果、処理能力を向上することが可能となる。
【００３７】  次に［図５］は、本発明の実施の形態を用いた紙幣処理装置の拡張構成を模式的に示す側断面図であって、一例として、回収カセット８を追加構成したものである。図５の実施の形態の紙幣処理装置は、前述した、図１の小型入出金機に、搬送装置の第３搬送手段５に、２経路の搬送路を設け、縦列にユニットを連通した場合の実施形態であり、第３搬送手段５に搬送路を切り替えるゲート５３を備え、搬送路の構成を変更することなく、増設ユニットを縦列に連通を可能としている。
前記回収カセット８に収納繰り出し手段７の紙幣を移動収納する場合は、収納繰出し手段７から繰出された紙幣は、一旦、第１収納繰出し部１に収納し確定後、回収カセット８へ搬送することが好ましい。また、運用により、収納繰り出し手段７より直接に回収カセット８へ収納してもよい。
【００３８】  次に［図６］は、本発明の実施の形態を用いた紙幣処理装置の拡張構成を模式的に示す側断面図であって、図１に示した紙幣処理装置をさらに図５の紙幣処理装置に縦列に連通させた状態を示したものであり、店舗の出納室で使用する入金機や入出金機を構成することができる。
【００３９】  また、図６の実施の形態の紙幣処理装置は、最上部に増設した紙幣処理装置の第３搬送手段５の第４搬送路５２は、縦列に接続された搬送装置の第１搬送路２１に切り替えゲート５４を新たに備え、連通されている。
【００４０】  図６の実施の形態の紙幣処理装置は、紙幣投入口として用いる第５収納繰出し部１１と、入金一保として用いる第６収納繰出し部７ｄと、入金ＲＪＢＯＸ６３と、出金口として用いる第１収納繰出し部１と、金種別に収納する収納繰出し手段７と出金ＲＪ６２と回収カセット８と、を備え、スーパーなどの店舗出納で用いる入出金処理装置を構成し、
【００４１】  入金動作を行う場合は、第５収納繰出し部１１に投入され、繰り出された紙幣は、第１収納繰出し部１に保留され、確定した場合、収納繰出し手段７、または、回収カセット８へ、ゲート３５、及び、切り替えゲート５３とで振り分けられ収納される。また、入金が確定せず、返却を行う場合は、第１収納繰出し部１より返却される。また、入金時に発生する判定不能な紙幣は、入金ＲＪＢＯＸ６３に搬送される。
【００４２】  入金と出金動作を同時に行う場合（出金金種と枚数があらかじめ指定されている場合）は、第５収納繰出し部１１に投入され、繰り出された入金紙幣は、識別結果に基づき、投入紙幣に出金金種が含まれていた場合、第１収納繰出し部１に保留され、それ以外の紙幣は、第６収納繰出し部７ｄに一時保留され、入金紙幣の計数が完了し入金金額確定される。次に、第１収納繰出し部１に保留された金種枚数と、出金すべき指定金種枚数の不足紙幣分を、収納繰出し部７より、第１収納繰出し部１に搬送し、指定の出金すべき金種枚数がそろえば、第１収納繰出し部１より取り出すことができ、取引は完了する。その後、第６収納繰出し部７ｄに一時保留された紙幣は、第１収納繰出し部１を経由し、収納繰出し部７に収納される。このような動作を行えば、入金確定処理と同時に出金処理が完了することになり、処理時間は短縮される。
【００４３】  次に、金種別に収納する収納繰出し手段７の紙幣をカセットに入金する場合は、収納繰出し手段７より繰出された紙幣は、識別を通り第１収納繰出し部１に一時保留され、収納すべき紙幣が確定した場合、第１収納繰出し部１より繰出され、回収カセット８へ収納される。
【００４４】  また、図６の別の実施例として、図６の実施例の収納繰り出し部７ｄの後方に、図示していない、収納繰り出し部７ｅと７ｆの収納繰り出し部を追加したもので、例えば、店舗で運用する入出金機を構成したものである。前述の実施例の特徴は、最上部に位置する収納繰り出し部７ｄ〜７ｆに収納した紙幣は、店舗の運用資金として管理し、下部に位置する収納繰り出し部７ａ〜７ｃとカセット８に収納した紙幣は、第三者の資金（例えば、オーナーの個人資金）として管理することができる収納繰り出し部の所有権の設定を可能とした事を特徴としている。すなわち、装置内の現金は、店舗で自由に使用できる資金と、店舗運用資金が不足した場合に使用する、第三者の資金とを個別に管理した運用である。上部と下部の資金を個別に管理することで、例えば、紙幣がつまった場合のトラブル時、上記両者のいずれの資金かを明確に切り分ける事ができる為、資金を厳正に管理できる。従業員が前記収納繰り出し部の両者を運用した場合、店舗資金の紙幣つまりの場合は、店舗従業員が解除することができるが、第三者の資金の運用時は、第三者のみしか解除できない。このように、等発明を用いて装置を小型に構成し、容易に装置を連通することで、運用の幅を増やす装置が構成できる。
【００４５】  このように、本発明の搬送装置を用いれば、大型、小型の装置は、ベースとなる図１に示す紙幣処理装置を容易に縦列に連通し構成できる。その結果、運用に合わせた装置を組み合わせにより構成することができ、幅広いユーザーニーズに対応することが可能となる。
【００４６】  上述の装置構成、及び、動作は、一例と示したものであり、限定の限りではない。
【００４７】  また、切り替えゲートの別の実施例として、図７に示す切り替えゲートａ５５のようにゲートを構成すれば、一つのゲートで３方向の搬送路に切り替えが可能となる。
【００４８】  以上説明したように、本発明の実施形態に係る搬送装置によれば、紙幣の受け入れ可否を判断する識別センサ２２を具備した直線状に配置した第１搬送手段２と、収納手段７へ紙幣を搬送する為の第１搬送手段２の延長線上に位置する第２搬送手段４と、前記第１搬送手段２と第２搬送手段４との間に、前述の両搬送手段に連通し、紙幣の搬送方向を垂直に方向変換する方向変換手段３と、方向変換手段３の最下点に連通した、第３搬送手段５を備えた搬送装置において、下記に示す効果が得られる。
【００４９】  紙幣を垂直方向に搬送する方向変換手段３は、紙幣を搬入し、最下点に達する間で、紙幣の搬送条件と紙幣の識別データを継続して取得し、紙幣の搬送先を判定し、ゲート３５の開閉動作を完了することができる。その結果、水平、直線状の通路長さを短くでき、装置全長を小型にすることができる。
【００５０】  また、本発明の搬送装置は、水平、直線状に、上述の識別センサ２２や、収納繰り出し手段７を配置することができる。その結果、装置を薄型に構成できると共に、ジャム発生時のメンテ性も向上できる。
【００５１】  さらに、垂直方向に配置した方向変換手段３は、紙幣自身の搬送方向を先端から後端に変換し搬出することができる。その結果、順方向で周回させて搬送する屈曲した通路にくらべ、搬送路をシンプルに構成できる為、余分な搬送路スペースを必要とせず、小型に構成できる。
【００５２】  さらに、垂直方向に配置した方向変換手段３は、識別判定不能な紙幣が搬送された場合、ゲート３５を開くことで、直接ＲＪＢＯＸ６１へ搬送できる。その結果、搬送を一旦停止し逆転しなくてもよく、連続計数が可能となり、処理時間を短縮することができ、さらに、搬送速度を上げることが可能になる。
【００５３】  また、垂直方向に配置した方向変換手段３は、第３搬送手段５をさらに、切り替えゲート５３で、下方に向かう第４搬送路５２を備えれば、ユニットや装置を容易に縦列に連通ができる。その結果、運用合わせた、紙幣処理装置を容易に構成できる。
【００５４】  すなわち、請求項１乃至７の搬送装置を用いれば、通路を周回させる必要が無い為、シンプルなレイアウトで構成することができる。その結果、小型でコストが安く、処理効率の高い装置を提供することができる。
【符号の説明】
【００５５】１、  第１収納繰出し部      ２、  第１搬送手段      ３、  方向変換手段
４、  第２搬送手段          ５、  第３搬送手段      ６、  返却収納部
７、  収納繰出し手段        ８、  回収カセット      ９、  制御部
１１、第５収納繰出し部
２１、第１搬送路            ２２、識別センサ        ２３、判定センサａ
２４、タイミングセンサ
３１、方向変換ローラ        ３２、搬送ローラ部ａ    ３３、搬送ローラ部ｂ
３４、波打ちローラ          ３５、ゲート            ３６、ガイドバン
４１、第２搬送路            ４２、判定センサｂ
５１、第３搬送路            ５２、第４搬送路        ５３、切り替えゲート
５４、切り替えゲート        ５５、切り替えゲートａ
６１、ＲＪＢＯＸ            ６２、出金ＲＪＢＯＸ    ６３、入金ＲＪＢＯＸ
７ａ、第２収納繰出し部      ７ｂ、第３収納繰出し部  ７ｃ、第３収納繰出し部
７ｄ、第６収納繰出し部
【図１】
2014021960.tif 000003
【図２】
2014021960.tif 000004
【図３】
2014021960.tif 000005
【図４】
2014021960.tif 000006
【図５】
2014021960.tif 000007
【図６】
2014021960.tif 000008
【図７】
2014021960.tif 000009